(57)【要約】【課題】簡易に型紙のパターンを生成することができる型紙作成方法、型紙作成プログラムおよび型紙作成装置を提供すること。【解決手段】本発明にかかる型紙作成方法は、三次元構造をなす製品を作製するための部品である複数の型紙からなる型紙パターンを作成する型紙作成装置が行う型紙作成方法であって、所定の型紙パターンを用いて形成される三次元像を記憶部から読み出して三次元像を含む三次元画像情報を生成し、該三次元画像情報に基づく画像表示制御を行う三次元画像生成ステップと、三次元像の一部の形状または表示態様を変更する指示信号を入力する入力ステップと、入力ステップにより入力された指示信号をもとに、三次元画像情報を変更する変更ステップと、変更ステップにより変更された三次元画像情報の変更情報を該当する型紙の情報に反映する反映ステップと、を含む。【選択図】図１
2015209598.tif 000002
【特許請求の範囲】
【請求項１】
三次元構造をなす製品を作製するための部品である複数の型紙からなる型紙パターンを作成する型紙作成装置が行う型紙作成方法であって、
所定の型紙パターンを用いて形成される三次元像を記憶部から読み出して前記三次元像を含む三次元画像情報を生成し、該三次元画像情報に基づく画像表示制御を行う三次元画像生成ステップと、
前記三次元像の一部の形状または表示態様を変更する指示信号を入力する入力ステップと、
前記入力ステップで入力された指示信号をもとに、前記三次元画像情報を変更する変更ステップと、
前記変更ステップで変更された前記三次元画像情報の変更情報に基づき型紙の情報を生成する型紙情報生成ステップと、
を含むことを特徴とする型紙作成方法。
【請求項２】
前記入力ステップは、前記三次元像の一部をつまむためのつまみ位置情報を入力し、
前記変更ステップは、前記つまみ位置情報に応じて生成されたダーツ形成線同士を結合した三次元像を含む三次元画像情報に変更し、
前記型紙情報生成ステップは、つまみ位置情報が入力された型紙に前記ダーツ形成線を付与する
ことを特徴とする請求項１に記載の型紙作成方法。
【請求項３】
前記入力ステップは、前記三次元像に対して二次元の指示線を入力し、
前記変更ステップは、前記入力ステップで入力された指示線に対し、前記三次元像の表面形状に応じた三次元の座標情報を付与し、付与された座標情報に応じて前記三次元像上に前記指示線が追加表示された三次元画像情報に変更し、
前記型紙情報生成ステップは、変更された三次元画像情報に応じて、前記指示線が入力された型紙に該指示線を付与する
ことを特徴とする請求項１に記載の型紙作成方法。
【請求項４】
前記入力ステップは、前記三次元像の表面に前記型紙を分割するための分割線を入力し、
前記変更ステップは、前記入力ステップで入力された分割線を、当該分割線と交差する型紙の輪郭線として前記三次元画像情報を変更し、
前記型紙情報生成ステップは、前記分割線が入力された型紙に該分割線を付与する
ことを特徴とする請求項１に記載の型紙作成方法。
【請求項５】
前記入力ステップは、前記三次元像の比較を行う旨の指示信号を入力し、
前記指示信号に応じて予め記憶されている参照三次元画像情報を取得し、該参照三次元画像情報の参照三次元像に対して比較対象の三次元像を重畳した比較画像を含む比較情報を生成する比較ステップ
をさらに含むことを特徴とする請求項１〜４のいずれか一つに記載の型紙作成方法。
【請求項６】
前記変更ステップは、変更後の三次元画像情報に基づく画像表示制御を行うことを特徴とする請求項１〜５のいずれか一つに記載の型紙作成方法。
【請求項７】
前記入力ステップと前記変更ステップとを繰り返し行うことを特徴とする請求項１〜６のいずれか一つに記載の型紙作成方法。
【請求項８】
三次元構造をなす製品を作製するための部品である複数の型紙からなる型紙パターンを作成する型紙作成プログラムであって、
所定の型紙パターンを用いて形成される三次元像を記憶部から読み出して前記三次元像を含む三次元画像情報を生成し、該三次元画像情報に基づく画像表示制御を行う三次元画像生成手順と、
前記三次元像の一部の形状または表示態様を変更する指示信号を入力する入力手順と、
前記入力手順で入力された指示信号をもとに、前記三次元画像情報を変更する変更手順と、
前記変更手順で変更された前記三次元画像情報の変更情報に基づき型紙の情報を生成する型紙情報生成手順と、
をコンピュータに実行させることを特徴とする型紙作成プログラム。
【請求項９】
三次元構造をなす製品を作製するための部品である複数の型紙からなる型紙パターンを作成する型紙作成装置であって、
所定の型紙パターンに応じた三次元像を含む三次元画像情報を生成する三次元形状演算部と、
前記型紙パターンに基づく画像および／または前記三次元画像情報に基づく画像を表示する表示部と、
前記三次元像の一部の形状または表示態様を変更する指示信号の入力を受け付ける入力部と、
前記入力部により入力された指示信号をもとに、前記三次元画像情報を変更する変更処理部と、
前記変更処理部により変更された前記三次元画像情報の変更情報に基づき型紙の情報を生成する型紙情報生成部と、
を備えたことを特徴とする型紙作成装置。
【発明の詳細な説明】
【技術分野】
【０００１】
本発明は、衣料等の作製に用いられる型紙の型紙作成方法、型紙作成プログラムおよび型紙作成装置に関する。
【背景技術】
【０００２】
近年の三次元ＣＡＤ（Computer  Aided  Design）システムの発展、普及に伴い、二次元の図面をもとに三次元形状を推定することが可能になっている。衣料など部品形状である型紙を作成して三次元形状を作製する製品では、上述したＣＡＤシステムにより型紙の情報をもとに該型紙の三次元形状を推定することによって仕上がりのイメージを画像表示する技術が用いられている（例えば、特許文献１〜４を参照）。
【０００３】
特許文献１には、布の物理特性データを用いて布と人体、または布と布との衝突を検出して衣類の着用状態を予測する技術が開示されている。特許文献２には、人体の体型データを用いて型紙のパターンを作成する技術が開示されている。
【０００４】
特許文献３には、型紙に布の力学特性を付与し、有限要素法を用いて各要素の運動方程式を解くことで中間体モデルに接触するように型紙を変形させた後、人体モデルに型紙を変形させて仮想的に着付けることによって、人体に密着するような衣服の衣服圧を求める技術が開示されている。
【０００５】
特許文献４では、衣服（型紙）と人体モデルとの距離をもとにダーツの幅を決定し、ダーツを自動的に生成する技術が開示されている。
【先行技術文献】
【特許文献】
【０００６】
【特許文献１】特開平８−４４７８５号公報
【特許文献２】特開２００１−２４９９５７号公報
【特許文献３】特開２００９−２３０５６３号公報
【特許文献４】国際公開第２０１０／０２１２５９号公報
【発明の概要】
【発明が解決しようとする課題】
【０００７】
しかしながら、上述した特許文献１〜４では、最終的な型紙のパターンを確定するまでに、型紙を生成し、該生成した型紙に基づく型紙情報をもとにシミュレーションを行って三次元形状を画像化して確認する作業を繰り返していた。具体的には、型紙の修正と、該修正した型紙に基づく型紙情報を用いた三次元画像の確認とを繰り返すことによって、型紙のパターンを作成していた。このように、従来の型紙パターンに生成は手間と時間とを要していたため、型紙パターンを簡易に生成できる技術が求められていた。
【０００８】
本発明は、上記課題に鑑みてなされたものであり、簡易に型紙のパターンを生成することができる型紙作成方法、型紙作成プログラムおよび型紙作成装置を提供することを目的とする。
【課題を解決するための手段】
【０００９】
上述した課題を解決し、目的を達成するために、本発明にかかる型紙作成方法は、三次元構造をなす製品を作製するための部品である複数の型紙からなる型紙パターンを作成する型紙作成装置が行う型紙作成方法であって、所定の型紙パターンを用いて形成される三次元像を記憶部から読み出して前記三次元像を含む三次元画像情報を生成し、該三次元画像情報に基づく画像表示制御を行う三次元画像生成ステップと、前記三次元像の一部の形状または表示態様を変更する指示信号を入力する入力ステップと、前記入力ステップで入力された指示信号をもとに、前記三次元画像情報を変更する変更ステップと、前記変更ステップで変更された前記三次元画像情報の変更情報に基づき型紙の情報を生成する型紙情報生成ステップと、を含むことを特徴とする。
【００１０】
また、本発明にかかる型紙修正方法は、上記の発明において、前記入力ステップは、前記三次元像の一部をつまむためのつまみ位置情報を入力し、前記変更ステップは、前記つまみ位置情報に応じて生成されたダーツ形成線同士を結合した三次元像を含む三次元画像情報に変更し、前記型紙情報生成ステップは、つまみ位置情報が入力された型紙に前記ダーツ形成線を付与することを特徴とする。
【００１１】
また、本発明にかかる型紙修正方法は、上記の発明において、前記入力ステップは、前記三次元像に対して二次元の指示線を入力し、前記変更ステップは、前記入力ステップで入力された指示線に対し、前記三次元像の表面形状に応じた三次元の座標情報を付与し、付与された座標情報に応じて前記三次元像上に前記指示線が追加表示された三次元画像情報に変更し、前記型紙情報生成ステップは、変更された三次元画像情報に応じて、前記指示線が入力された型紙に該指示線を付与することを特徴とする。
【００１２】
また、本発明にかかる型紙修正方法は、上記の発明において、前記入力ステップは、前記三次元像の表面に前記型紙を分割するための分割線を入力し、前記変更ステップは、前記入力ステップで入力された分割線を、当該分割線と交差する型紙の輪郭線として前記三次元画像情報を変更し、前記型紙情報生成ステップは、前記分割線が入力された型紙に該分割線を付与することを特徴とする。
【００１３】
また、本発明にかかる型紙修正方法は、上記の発明において、前記入力ステップは、前記三次元像の比較を行う旨の指示信号を入力し、前記指示信号に応じて予め記憶されている参照三次元画像情報を取得し、該参照三次元画像情報の参照三次元像に対して比較対象の三次元像を重畳した比較画像を含む比較情報を生成する比較ステップをさらに含むことを特徴とする。
【００１４】
また、本発明にかかる型紙修正方法は、上記の発明において、前記変更ステップは、変更後の三次元画像情報に基づく画像表示制御を行うことを特徴とする。
【００１５】
また、本発明にかかる型紙修正方法は、上記の発明において、前記入力ステップと前記変更ステップとを繰り返し行うことを特徴とする。
【００１６】
また、本発明にかかる型紙作成プログラムは、三次元構造をなす製品を作製するための部品である複数の型紙からなる型紙パターンを作成する型紙作成プログラムであって、所定の型紙パターンを用いて形成される三次元像を記憶部から読み出して前記三次元像を含む三次元画像情報を生成し、該三次元画像情報に基づく画像表示制御を行う三次元画像生成手順と、前記三次元像の一部の形状または表示態様を変更する指示信号を入力する入力手順と、前記入力手順で入力された指示信号をもとに、前記三次元画像情報を変更する変更手順と、前記変更手順で変更された前記三次元画像情報の変更情報に基づき型紙の情報を生成する型紙情報生成手順と、をコンピュータに実行させることを特徴とする。
【００１７】
また、本発明にかかる型紙作成装置は、三次元構造をなす製品を作製するための部品である複数の型紙からなる型紙パターンを作成する型紙作成装置であって、所定の型紙パターンに応じた三次元像を含む三次元画像情報を生成する三次元形状演算部と、前記型紙パターンに基づく画像および／または前記三次元画像情報に基づく画像を表示する表示部と、前記三次元像の一部の形状または表示態様を変更する指示信号の入力を受け付ける入力部と、前記入力部により入力された指示信号をもとに、前記三次元画像情報を変更する変更処理部と、前記変更処理部により変更された前記三次元画像情報の変更情報に基づき型紙の情報を生成する型紙情報生成部と、を備えたことを特徴とする。
【発明の効果】
【００１８】
本発明によれば、簡易に型紙のパターンを生成することができるという効果を奏する。
【図面の簡単な説明】
【００１９】
【図１】図１は、本発明の実施の形態にかかる型紙作成装置の概略構成を模式的に示すブロック図である。
【図２】図２は、本発明の実施の形態にかかる型紙作成装置が行う型紙作成処理を示すフローチャートである。
【図３】図３は、本発明の実施の形態にかかる型紙作成処理の型紙取得において選択された型紙パターンを模式的に示す図である。
【図４】図４は、本発明の実施の形態にかかる型紙作成処理の型紙への情報入力の一例を説明する図である。
【図５】図５は、本発明の実施の形態にかかる型紙作成処理の型紙への情報入力の一例を説明する図である。
【図６】図６は、本発明の実施の形態にかかる型紙作成処理の型紙への情報入力の一例を説明する図である。
【図７】図７は、本発明の実施の形態にかかる型紙作成処理のボディの表示を模式的に示す図である。
【図８】図８は、本発明の実施の形態にかかる型紙作成処理のボディの表示におけるボディ選択画面を模式的に示す図である。
【図９】図９は、本発明の実施の形態にかかる型紙作成処理の型紙配置処理を説明する図である。
【図１０】図１０は、本発明の実施の形態にかかる型紙作成処理の型紙配置処理を説明する図である。
【図１１】図１１は、本発明の実施の形態にかかる型紙作成処理の三次元形状演算処理を説明する図である。
【図１２】図１２は、本発明の実施の形態にかかる型紙作成処理にかかるボディの他の例を模式的に示す図である。
【図１３】図１３は、本発明の実施の形態にかかる型紙作成処理にかかるボディの他の例を模式的に示す図である。
【図１４】図１４は、本発明の実施の形態にかかる型紙作成処理のボディに設定される配置領域を模式的に示す図である。
【図１５】図１５は、本発明の実施の形態にかかる型紙作成処理における修正処理を示すフローチャートである。
【図１６】図１６は、本発明の実施の形態にかかる修正処理におけるつまみ処理を示すフローチャートである。
【図１７】図１７は、本発明の実施の形態にかかる修正処理におけるつまみ処理を説明する図である。
【図１８】図１８は、本発明の実施の形態にかかる修正処理におけるつまみ処理を説明する図である。
【図１９】図１９は、本発明の実施の形態にかかる修正処理におけるつまみ処理を説明する図である。
【図２０】図２０は、本発明の実施の形態にかかる修正処理におけるつまみ処理を説明する図である。
【図２１】図２１は、本発明の実施の形態にかかる修正処理における視点断面表示処理を示すフローチャートである。
【図２２】図２２は、本発明の実施の形態にかかる修正処理における視点断面表示処理を説明する図である。
【図２３】図２３は、本発明の実施の形態にかかる修正処理における視点断面表示処理を説明する図である。
【図２４】図２４は、本発明の実施の形態にかかる修正処理における分割移動処理を示すフローチャートである。
【図２５】図２５は、本発明の実施の形態にかかる修正処理における分割移動処理を説明する図である。
【図２６】図２６は、本発明の実施の形態にかかる修正処理における分割移動処理を説明する図である。
【図２７】図２７は、本発明の実施の形態にかかる修正処理の他の例を説明する図である。
【図２８】図２８は、本発明の実施の形態にかかる型紙作成処理における比較処理を説明する図である。
【図２９】図２９は、本発明の実施の形態にかかる型紙作成処理における比較処理を説明する図であって、比較結果の表示画面の一例を示す図である。
【図３０】図３０は、本発明の実施の形態にかかる型紙作成処理における型紙情報生成処理の一例を説明する図であって、修正前（ａ）の型紙と修正後（ｂ）の型紙とを模式的に示す図である。
【図３１】図３１は、本発明の実施の形態にかかる型紙作成処理における型紙情報生成処理を説明する図であって、生成された情報に応じた型紙パターンを模式的に示す図である。
【発明を実施するための形態】
【００２０】
以下、本発明を実施するための形態を図面と共に詳細に説明する。なお、以下の実施の形態により本発明が限定されるものではない。また、以下の説明において参照する各図は、本発明の内容を理解でき得る程度に形状、大きさ、および位置関係を概略的に示してあるに過ぎない。すなわち、本発明は各図で例示された形状、大きさ、および位置関係のみに限定されるものではない。
【００２１】
図１は、本発明の実施の形態にかかる型紙作成装置の概略構成を模式的に示すブロック図である。図１に示す型紙作成装置１は、衣料の作製に用いられる型紙パターンの設計情報を生成する。型紙作成装置１は、入力部１１と、出力部１２と、画像処理部１３と、記憶装置１４と、制御部１５と、を備える。
【００２２】
入力部１１は、型紙作成装置１の各部の動作を指示する指示信号の入力や、画像における画像処理領域（位置）を指示する指示信号の入力の受け付け、および受け付けた指示信号の出力を行う。入力部１１は、キーボード、マウス、タッチパネル等のインタフェースを用いて実現される。入力部１１は、受け付けた指示信号を制御部１５に出力する。指示信号には、例えば、画像表示にかかる指示信号や、画像処理に関する選択指示、入力指示などの指示信号が挙げられる。
【００２３】
出力部１２は、ＬＥＤなどの光源や、スピーカ、ディスプレイなどを用いて実現される。出力部１２は、画像処理部１３が生成した表示画像信号などを受信して該表示画像信号に対応する画像を表示する表示部１２ａを有する。表示部１２ａは、画像処理部１３から出力される型紙の設計情報にかかる文字情報や色情報などの各種情報を表示する。表示部１２ａは、液晶ディスプレイまたは有機ＥＬ（Electro  Luminescence）ディスプレイを用いて構成される。出力部１２は、制御部１５から出力される表示画像信号や、表示部１２ａに該表示画像信号に応じた画像を表示させるための制御信号に基づき、表示部１２ａに画像を表示させるなどの処理を行う。
【００２４】
画像処理部１３は、二次元画像として表示される型紙パターンの画像や、該型紙パターンをもとに生成される三次元画像を表示させるため表示画像信号（画像情報）の生成処理を行う。画像処理装置２は、画像のほか、型紙パターンを構成する各型紙の設計に関する文字情報や、色情報などの各種情報を生成する。
【００２５】
記憶部１４は、型紙作成装置１に実行させる各種プログラム、プログラムの実行中に使用される各種データや、本発明の型紙作成方法にかかる型紙作成プログラムなどを記憶する。記憶部１４は、処理中の情報を一時的に記憶する機能を有する。また、記憶部１４は、衣服を構成する型紙パターンに関する型紙情報を記憶する型紙情報記憶部１４ａを有する。記憶部１４は、フラッシュメモリおよびＲＡＭ等の半導体メモリを用いて実現される。なお、記憶部１４は、外部から装着されるメモリカード等を用いて構成されてもよい。
【００２６】
制御部１５は、型紙作成装置１の各部の動作を制御するとともに、型紙作成装置１を統括的に制御する。制御部１５は、ＣＰＵ等を用いて構成され、型紙作成装置１に含まれる各部を制御するとともに、外部からの指示信号に応じて指示信号に対応する指示情報やデータの転送等を行って動作を制御する。
【００２７】
ここで、画像処理部１３について説明する。画像処理部１３は、取得部１３１と、三次元形状演算部１３２と、比較部１３３と、型紙修正処理部１３４と、型紙情報生成部１３５と、を有する。
【００２８】
取得部１３１は、型紙パターンにかかる情報（型紙情報）や、衣服の着付け対象となる人体モデルであるボディの情報（ボディ情報）を取得する。型紙パターンは衣服を構成する複数の型紙からなり、型紙情報は該複数の型紙の設計情報を少なくとも含む。各型紙の設計情報には、各型紙の輪郭線や、輪郭線内に設けられる折り目線（襟などを形成するための折り目線など）、ダーツの形成線、型紙同士を縫い合わせるための縫合線などの設計情報や、型紙の力学的特性や、衣服に用いる材料の力学的特性などの情報が含まれている。ボディ情報には、バストライン、ウエストラインおよびヒップラインなどの寸法情報などが含まれている。
【００２９】
三次元形状演算部１３２は、型紙情報をもとに演算処理を行って三次元像であるトワル（以下、仮想トワルという）を含む三次元画像情報を生成する。具体的には、三次元形状演算部１３２は、例えば、ボディ情報と型紙情報とを用いて三次元形状演算を行って、画像上のボディに対し、各型紙を縫合して形成される仮想トワルの着付けを行う。三次元形状演算部１３２は、該演算処理によって各型紙にボディとの相対関係を示す座標情報を付与する。三次元形状演算部１３２による演算処理には、ＣＡＤ（Computer  Aided  Design）が用いられる。
【００３０】
比較部１３３は、二つの型紙パターンの比較処理を行う。具体的には、現在作成中の型紙パターン（現在の仮想トワル）と、過去に作成した型紙パターン（過去の仮想トワル）との同一座標における位置関係（相対的な距離や角度）を演算し、該演算結果を表示するための表示情報（画像や文字などの情報）を生成する。
【００３１】
型紙修正処理部１３４（変更処理部）は、仮想トワル上に入力された修正指示情報に基づき、修正後の仮想トワルの三次元形状を演算処理し、仮想トワルの修正情報（変更情報）を生成する。型紙修正処理部１３４による演算処理には、ＣＡＤが用いられる。型紙修正処理部１３４は、つまみ処理部１３４ａと、断面生成部１３４ｂと、分割移動処理部１３４ｃと、を有する。
【００３２】
つまみ処理部１３４ａは、仮想トワル上に入力されたつまみ位置情報に基づいて、仮想トワルのつまみ後の三次元形状を演算し、表示画像信号を生成する。例えば、入力部１１により仮想トワルの一部をつまむ、例えば仮想トワルの一部を詰めるように指示信号が入力されると、該指示信号に応じたつまみ位置間を画像上で縫合処理するとともに、つまみ後（縫合後）の三次元形状を演算し、表示画像信号を生成する。
【００３３】
断面生成部１３４ｂは、仮想トワル上に入力された二次元の指示線に応じて、仮想トワルの断面（表面の形状）および該指示線に応じたボディの断面（表面の形状）を演算し、断面画像に応じた断面画像信号を生成する。例えば、仮想トワル上に直線が入力された場合、断面生成部１３４ｂは、仮想トワルの視点方向の凹凸（表面の形状）に応じて該直線の座標の演算処理を行うことによって、視点方向からみて直線をなし、かつ視点方向と異なる角度からみたときに仮想トワル表面に沿って延びる曲線をなす三次元の座標情報を生成する。
【００３４】
分割移動処理部１３４ｃは、仮想トワル上に入力された分割線に応じて、縫合されて連結した二つの型紙のうちの一方の型紙からパーツの分割処理を行うとともに、該分割されたパーツを他方の型紙に移動する移動処理を行う。
【００３５】
型紙情報生成部１３５は、型紙修正処理部１３４において演算処理された情報（変更情報）に基づき、該当する型紙に対して該変更情報を反映することにより、修正後の型紙の情報を生成する処理を行う。型紙情報生成部１３５は、例えば、つまみ処理部１３４ａにより仮想トワル上でつまみ処理が行われた箇所について、型紙の対応する位置（座標）に応じてダーツ形成線を形成する。
【００３６】
以上のように構成された型紙作成装置１では、取得部１３１が型紙パターンの情報を取得し、三次元形状演算部１３２が、ボディに対して、型紙パターンからなる仮想トワルを三次元的に配置する。仮想トワルをボディに着付けた画像を表示部１２ａに表示させて、使用者が表示部１２ａ上で比較処理や、型紙修正処理（仮想トワル修正処理）を行うことにより、所望の型紙パターンに近づけた型紙を作成することができる。型紙作成装置１により生成された型紙パターンをシーチング上に出力してトワルを作成し、使用者などによりトワルチェックを行うことで最終的な型紙パターンが決定される。
【００３７】
図２は、本実施の形態にかかる型紙作成装置が行う型紙作成処理（型紙作成方法）を示すフローチャートである。以下の型紙作成処理では、制御部１５の制御のもと、記憶部１４に記憶されている型紙作成プログラムを実行することにより、各部が信号処理などを行う。型紙作成処理では、まず、取得部１３１が型紙情報およびボディ情報を取得する（ステップＳ１０１）。具体的には、取得部１３１は、記憶部１４や、入力部１１を介して型紙情報およびボディ情報を取得し、三次元形状演算部１３２に出力する。
【００３８】
使用者は、例えば表示部１２ａに表示された情報の中から、入力部１１を介して型紙として表示する衣料品を選択する。表示部１２ａは、記憶部１４を参照して衣料品を選択するための表示情報を読み出し、該読み出した表示情報を表示する。表示部１２ａは、例えば衣料品の品番に関する情報を表示する。各品番には、作成日や更新日などが対応付けられている。衣料品の情報は、上述したように品番を表示するもののほか、ブランドごとに分けて表示するものなど表示態様は適宜変更可能である。使用者によって衣料品（品番）が選択されると、入力部１１が、指示信号の入力を受け付ける。入力部１１は、指示信号を受け付けると、該指示信号を制御部１５に出力する。
【００３９】
図３は、本実施の形態にかかる型紙作成処理の型紙取得において選択された型紙パターンを模式的に示す図である。ステップＳ１０１において衣料品が選択されると、取得部１３１は、型紙情報記憶部１４ａなどを参照して、衣料品を作製するための型紙パターンを構成する複数の型紙（型紙情報）に関する情報を含む型紙情報を取得し、三次元形状演算部１３２に出力する。また、取得部１３１は、取得した型紙情報に応じたボディ情報も取得する。図３では、例えばレディス（セットイン）が衣料品として選択された場合であって、該レディス（セットイン）にかかる型紙パターン１００を構成する型紙１０１〜１０６に関する情報を型紙情報として取得する。具体的には、型紙パターン１００は半身（左半身）の型紙パターンであって、型紙１０１は左前半身に応じた型紙、型紙１０２は左横半身に応じた型紙、型紙１０３は左後半身に応じた型紙、型紙１０４は左襟に応じた型紙、型紙１０５は左上腕に応じた型紙、型紙１０６は下腕に応じた型紙を示す。各型紙には、折り目線や、ダーツの形成線、縫合線など衣料品を作製するために最低限必要な線が予め記入されている。型紙パターン１００と対称な型紙パターンを作成することにより、一つの衣料品（ここではレディス（セットイン））のトワルを作製することができる。なお、折り目線や、ダーツの形成線、縫合線などは、過去に入力された線が反映されているものであってもよい。
【００４０】
取得部１３１により型紙情報が取得されると、表示制御部２２は、該型紙情報に含まれる各型紙の画像を表示装置５に表示させる。使用者は、型紙上に形成されている折り目線や、ダーツの形成線、縫合線を適宜選択し、今回使用する型紙の各線に必要な情報を入力する（ステップＳ１０２）。制御部１５は、入力処理が終了したか否かを繰り返し判断し、入力処理が終了したと判断すると、ステップＳ１０３に移行する。
【００４１】
図４〜６は、本実施の形態にかかる型紙作成処理の型紙への情報入力の一例を説明する図である。また、使用者は、型紙間で縫合線（図４の曲線Ｒ１１，Ｒ１２に沿った型紙１０２，１０３の輪郭線）の組み合わせを指定することにより、型紙１０２，１０３上の該当線に縫合情報がそれぞれ付与される（図４参照）。また、使用者は、ダーツの形成線Ｒ１３，Ｒ１４を選択することにより、型紙１０１上の該当線にダーツの形成情報が付与される（図５参照）。また、使用者は、折り目線Ｒ１５を選択することにより、型紙１０１上の該当線に折り目情報が付与される（図６参照）。折り目情報には、折り込み方向も含まれ、例えば折り目線Ｒ１５を選択した際、使用者によって折り込み方向Ｙ１，Ｙ２のいずれかが選択される。
【００４２】
続いて、表示制御部２２は、ボディ情報に基づくボディの三次元画像を表示装置５に表示させる（ステップＳ１０３）。なお、本ステップＳ１０３およびＳ１０２は、処理順が逆であってもよい。
【００４３】
図７は、本実施の形態にかかる型紙作成処理のボディの表示を模式的に示す図である。表示制御部２２は、制御部１５の制御のもと、ステップＳ１０１において取得部１３１により取得されたボディ情報に基づくボディの三次元（３Ｄ）表示を表示部１２ａに行わせる。例えば、図７に示すように、選択されたレディス（セットイン）に応じたボディ２００が、表示部１２ａに表示される。
【００４４】
図８は、本実施の形態にかかる型紙作成処理のボディの表示におけるボディ選択画面を模式的に示す図である。上述した処理では、選択された衣料品に応じて取得されたボディ情報をもとに、ボディを表示部１２ａに表示するものとして説明したが、図８に示す表示画面Ｗ１を用いて表示するボディを選択するものであってもよい。表示画面Ｗ１では、記憶部１４に記憶されているボディの種別が表示されている。使用者は、表示画面Ｗ１上のボディ２００，２１０，２２０のうち、表示部１２ａで表示するボディを選択する。使用者によってボディが選択された後、ＯＫボタンＢ１が選択されると、入力部１１は、指示信号の入力を受け付け、該指示信号を制御部１５に出力する。また、使用者は、表示画面Ｗ１の表示を終了する場合や、ボディの選択状態を解除する場合は、キャンセルボタンＢ２を選択する。ここでいう選択とは、例えばマウスを用いて選択をおこなう場合、ポインタを選択するボディの画像上に配置し、クリックすることでボディの選択処理がなされる。
【００４５】
表示部１２ａにボディ２００と型紙パターン１００とが表示されると、使用者によってボディ２００上に各型紙が配置される（ステップＳ１０４）。使用者が入力装置を操作することにより、ボディ２００に対し、着付けに応じたおおよその位置に各型紙が配置される。制御部１５は、配置処理が終了したか否かを繰り返し判断し、配置処理が終了したと判断すると、ステップＳ１０５に移行する。
【００４６】
図９は、本実施の形態にかかる型紙作成処理の型紙配置処理を説明する図である。使用者は、例えばマウスを用いて型紙１０１を選択し、ドラッグアンドドロップすることによって、型紙１０１をボディ２００上に配置する。具体的には、型紙１０１は左前半身に応じた型紙であるため、ボディ２００の左前半身と重なる位置に型紙１０１を配置する。
【００４７】
図１０は、本実施の形態にかかる型紙作成処理の型紙配置処理を説明する図である。図１１は、本実施の形態にかかる型紙作成処理の三次元（３Ｄ）形状演算処理を説明する図である。ボディ２００には、型紙を配置するための型紙の配置領域３００が設定されている（図１０参照）。配置領域３００は、ボディ２００の表面形状に沿って、大まかにボディを覆う三次元形状をなしている。使用者により型紙１０１がボディ２００上に配置されると、型紙１０１は、この配置領域３００の表面に沿った形状に変化する。具体的には、三次元形状演算部１３２により、型紙１０１の形状が配置領域３００に沿うように座標が演算され、型紙１０１にその座標情報が付与される。表示制御部２２は、該座標情報に応じて型紙１０１を表示部１２ａに表示させることにより、型紙１０１が配置領域３００に沿って配置された画像が表示される（図１１参照）。これにより、ボディ２００上に配置した型紙１０１について、型紙１０１のボディ２００に対するおおよその位置、形状を把握することができる。
【００４８】
図１２，１３は、本発明の実施の形態にかかる型紙作成処理にかかるボディの他の例を模式的に示す図である。上述したボディ２００のほか、ボディ２１０（レディス（下半身、パンツ用））やボディ２２０（レディス（下半身、スカート用））においても同様に配置領域３１０，３２０が設定されている。それぞれに型紙が配置されると、該型紙が配置領域に沿うように変形した画像が表示される。
【００４９】
図１４は、本実施の形態にかかる型紙作成処理のボディに設定される配置領域を模式的に示す図である。型紙パターン１００を構成する型紙の配置処理後、三次元形状演算部１３２は、三次元空間においてボディ２００上に型紙１０１を着付けるための演算処理を行う（ステップＳ１０５）。具体的には、三次元形状演算部１３２は、各型紙１０１〜１０６にそれぞれ付与された折り目情報、ダーツの形成情報、縫合情報をもとに型紙の位置や形状を演算することにより、ボディ２００に型紙を配置して、表示部１２ａ上でボディ２００に仮想トワルを着付けた三次元画像信号を生成する。
【００５０】
制御部１５は、三次元形状演算部１３２により三次元画像信号が生成されると、該三次元画像信号を表示制御部２２に出力する。表示制御部２２は、受信した三次元画像信号を表示装置５に出力して、表示部１２ａに三次元画像信号に応じた画像を表示（型紙付ボディの３Ｄ表示）させる（ステップＳ１０６）。制御部１５は、表示部１２ａに画像を表示させる制御を行うとともに、生成された三次元画像信号を記憶部１４（型紙情報記憶部１４ａ）に記憶させるようにしてもよい。
【００５１】
その後、制御部１５は、入力部１１から仮想トワルの修正指示入力があるか否かを判断する（ステップＳ１０７）。制御部１５は、修正指示の入力があった場合（ステップＳ１０７：Ｙｅｓ）、上述した処理により修正された仮想トワルを表示する制御を行って（ステップＳ１０８）、ステップＳ１０９に移行する。一方、制御部１５は、修正指示の入力がない場合（ステップＳ１０７：Ｎｏ）、ステップＳ１０９に移行する。
【００５２】
図１５は、本実施の形態にかかる型紙作成処理における修正処理を示すフローチャートである。仮想トワルの修正指示入力としては、つまみ処理にかかる指示信号入力や、断面生成処理にかかる指示信号入力、分割移動処理にかかる指示信号入力などが挙げられる。制御部１５は、入力部１１に仮想トワルのつまみ処理にかかる指示入力があるか否かを判断する（ステップＳ２０１）。制御部１５は、つまみ処理にかかる指示入力があると（ステップＳ２０１：Ｙｅｓ）、つまみ処理部１３４ａにつまみ処理を行うよう指示する（ステップＳ２０２）。一方、制御部１５は、つまみ処理にかかる指示入力がなければ（ステップＳ２０１：Ｎｏ）、ステップＳ２０３に移行する。
【００５３】
ここで、つまみ処理について図面を参照して説明する。図１６は、本実施の形態にかかる修正処理におけるつまみ処理を示すフローチャートである。図１７〜２０は、本実施の形態にかかる修正処理におけるつまみ処理を説明する図である。つまみ処理部１３４ａは、仮想トワル上につまみ位置情報が入力されると（ステップＳ３０１）、仮想トワル上に入力されたつまみ位置情報に基づいて、仮想トワルのつまみ後の三次元形状を演算する（ステップＳ３０２）。
【００５４】
具体的には、つまみ処理部１３４ａは、仮想トワルをつまむ位置やつまむ間隔（幅）にかかるつまみ位置情報、例えば、仮想トワレ上に二点（つまみ位置の一端Ｑｓおよび他端Ｑｅ）、および他端Ｑｅにおけるつまみ幅ｄが入力されると（図１７参照）、該一端Ｑｓからつまみ幅ｄの両端をそれぞれ通過して型紙の輪郭線まで延びるつまみ線Ｒ１６，Ｒ１７を生成する（図１８参照）。つまみ幅ｄは、例えば、他端Ｑｅを中央とし、一端Ｑｓおよび他端Ｑｅを結ぶ直線と略直交する方向の長さである。このほか、つまみ幅ｄは、他端Ｑｅを通過する任意の直線と、型紙の輪郭線とが交差する点間の距離として設定されるものであってもよい。
【００５５】
つまみ処理部１３４ａは、該つまみ線Ｒ１６，Ｒ１７に基づきダーツ形成線Ｃ１０，Ｃ１１を生成し（図１９参照）、ダーツ形成線Ｃ１０，Ｃ１１同士を詰めて縫合線Ｓ１０を生成する（図２０参照）。これらの演算処理によって、ダーツ形成線Ｃ１０，Ｃ１１同士を詰めて縫合（縮小）した画像（表示画像信号）が生成される。
【００５６】
つまみ処理部１３４ａにより生成された表示画像信号は出力部１２に出力され、出力部１２は、受信した表示画像信号に応じた画像を表示部１２ａに表示させる（ステップＳ２０３）。一連のつまみ処理により、疑似的につままれたトワルのイメージ（三次元画像）を表示部１２ａに表示することができる（例えば、図２０参照）。
【００５７】
図１５のフローチャートに戻り、制御部１５は、ステップ２０３に移行すると、入力部１１に仮想トワルの断面生成処理にかかる指示入力があるか否かを判断する（ステップＳ２０３）。制御部１５は、断面生成処理にかかる指示入力があると（ステップＳ２０３：Ｙｅｓ）、つまみ処理部１３４ａに断面生成処理を行うよう指示する（ステップＳ２０４）。一方、制御部１５は、断面生成処理にかかる指示入力がなければ（ステップＳ２０３：Ｎｏ）、ステップＳ２０５に移行する。
【００５８】
ここで、断面生成処理について図面を参照して説明する。図２１は、本実施の形態にかかる修正処理における断面生成処理を示すフローチャートである。図２２，２３は、本実施の形態にかかる修正処理における視点断面表示処理を説明する図である。断面生成部１３４ｂは、仮想トワル上に指示線が断面生成位置情報として入力されると（ステップＳ４０１）、仮想トワル上に入力された指示線に応じて、仮想トワルの断面を演算する（ステップＳ４０２）。
【００５９】
具体的には、断面生成部１３４ｂは、例えば、仮想トワル上に指示線として直線Ｌ１８が入力されると（図２２参照）、視点方向における仮想トワル表面の凹凸形状に応じて該指示線の座標演算処理（まるめ処理）を行い、視点（指定された方向）からみて直線上をなし、かつ視点と異なる角度からみたときに仮想トワル表面に沿って延びる曲線（断面線）をなす座標情報を生成する。ここで、視点における指定方向は、例えば表示部１２ａの画面と直交する方向であるものとして設定されている。仮想トワル上に入力された直線Ｌ１８は、例えば、図２３に示すように、仮想トワル（型紙１０３）の表面に応じた曲線Ｒ１８となるような座標情報が付与される。断面生成処理では、直線Ｌ１８上に視点位置Ｌ１８ａが入力され、該視点位置Ｌ１８ａが仮想トワルの表面上にあるものとして演算処理（座標情報の付与）が行われる。換言すれば、同じ直線Ｌ１８を引いたとしても、視点位置Ｌ１８ａに対して指定する方向を変えることにより、生成される曲線Ｒ１８の形状が変化する。このような視点断面表示処理により、正面（視点）からみたときにイメージする二次元の直線Ｌ１８を引くのみで、三次元の仮想トワルにおける座標情報を付与することができ、正面以外の異なる角度のイメージを視覚的に表現することが可能となる。
【００６０】
断面生成部１３４ｂにより生成された座標情報は出力部１２に出力され、出力部１２は、受信した座標情報に基づき断面線を仮想トワル上またはボディ上に重畳して表示部１２ａに表示させる（ステップＳ３０３）。一連の断面生成処理により、入力された断面線が付与されたイメージ（三次元画像）を表示部１２ａに表示することができる。このような断面線を形成することで、例えば、色や柄の切り替え線としてデザインのイメージを表示することが可能となる。
【００６１】
図１５のフローチャートに戻り、制御部１５は、ステップ２０５に移行すると、入力部１１に仮想トワルの分割移動処理にかかる指示入力があるか否かを判断する（ステップＳ２０５）。制御部１５は、分割移動処理にかかる指示入力があると（ステップＳ２０５：Ｙｅｓ）、つまみ処理部１３４ａに分割移動処理を行うよう指示する（ステップＳ２０６）。一方、制御部１５は、分割移動処理にかかる指示入力がなければ（ステップＳ２０５：Ｎｏ）、修正処理を終了する。
【００６２】
ここで、分割移動処理について図面を参照して説明する。図２４は、本実施の形態にかかる修正処理における分割移動処理を示すフローチャートである。図２５，２６は、本実施の形態にかかる修正処理における分割移動処理を説明する図である。分割移動処理部１３４ｃは、仮想トワル（型紙１０２）上に分割線Ｌ１０が分割移動位置情報として入力されると（ステップＳ５０１、図２５参照）、該分割線Ｌ１０に応じて、仮想トワルを構成する型紙のパーツ分割および該分割したパーツの移動処理を行う（ステップＳ５０２）。
【００６３】
具体的には、分割移動処理部１３４ｃは、仮想トワル上に入力された分割線Ｌ１０に応じて、縫合されて連結した二つの型紙１０２，１０３のうちの一方の型紙（ここでは型紙１０２）からパーツの分割処理を行うとともに、該分割されたパーツを他方の型紙（ここでは型紙１０３）に移動する移動処理を行い、該移動処理後の仮想トワルの三次元画像に応じた表示画像信号を生成する。移動処理後の仮想トワルの三次元画像は、例えば、移動対象の縫合線（型紙の連結部分）が、入力された分割線Ｌ１０の位置に移動した画像となっており、該分割移動により型紙１０２，１０３に代えて型紙１０２ａ，１０３ａが生成される（図２６参照）。
【００６４】
分割移動処理部１３４ｃにより分割移動処理された処理後の表示画像信号は出力部１２に出力され、出力部１２は、受信した表示画像信号に応じた画像を表示部１２ａに表示させる（ステップＳ４０３）。一連の分割移動処理により、入力された分割線に縫合位置が変更された仮想トワルのイメージ（三次元画像）を表示部１２ａに表示することができる。
【００６５】
図２７は、本実施の形態にかかる修正処理の他の例を説明する図である。上述した修正指示の入力処理のほか、型紙上に例えばデザインや修正指示として点（点Ｑ１１〜Ｑ１５）や線を配置するなど、仮想トワル上で衣料品のデザインのイメージを生成するものであってもよい。
【００６６】
また、上述した修正指示の入力処理では、つまみ処理によって仮想トワルの一部を縮小するものを説明したが、一部を拡大するための情報を入力して仮想トワルを拡大する処理を行ってもよい。仮想トワルを拡大する処理としては、例えば、拡大対象の位置情報と、拡大する幅とを入力することにより、三次元形状演算部１３２が拡大後の仮想トワルの形状を演算して三次元画像情報を生成する。
【００６７】
図２のフローチャートに戻り、制御部１５は、ステップＳ１０９に移行すると、仮想トワルの比較処理を行う旨の比較指示があるか否かを判断する（ステップＳ１０９）。制御部１５は、比較指示がない場合（ステップＳ１０９：Ｎｏ）、ステップＳ１１１に移行する。一方で、制御部１５は、比較指示がある場合（ステップＳ１０９：Ｙｅｓ）、ステップＳ１１０に移行する。
【００６８】
ステップＳ１１０では、比較部１３３が指示された画像（型紙パターン）同士を比較するための比較画像信号を生成する（ステップＳ１１０）。例えば、比較部１３３は、型紙情報記憶部１４ａに記憶された修正前の仮想トワルの情報（参照三次元画像情報）を読み出して、修正指示の入力により修正された修正後の仮想トワルと、修正前の仮想トワルとの比較処理を行う。図２８は、本実施の形態にかかる型紙作成処理における比較処理を説明する図である。比較部１３３は、図２８に示すように、修正後の仮想トワルと、修正前の仮想トワル（例えば型紙１１０）とをボディ２００上にそれぞれ着付けた画像を生成し、出力部１２に出力する。出力部１２は、比較部１３３が生成した画像を比較用の画像として表示部１２ａに表示させる。
【００６９】
図２９は、本実施の形態にかかる型紙作成処理における比較処理を説明する図であって、比較結果の表示画面の一例を示す図である。表示部１２ａは、例えば、図２９に示す表示画面Ｗ２を表示する。比較部１３３は、指定された位置（例えば所定の平面を切断面とする断面）における二つの仮想トワルの対応関係（相対的な距離や角度）を演算し、該演算結果を表示するための表示情報（画像信号や文字信号などを含む情報）を生成する。出力部１２は、比較部１３３により生成された表示情報を受信すると、該表示情報に応じた画像や文字を表示した表示画面Ｗ２を表示部１２ａに表示させる。表示画面Ｗ２では、例えば、図２８の比較画像に応じたボディ２００の断面の輪郭線Ｇ１０と、修正後の仮想トワルの断面の輪郭線Ｇ２０，Ｇ３０と、修正前の仮想トワルの断面の輪郭線Ｇ２１とが表示される。
【００７０】
また、比較処理では、計測位置を指定することにより、型紙の実寸や、ボディの実寸、型紙を縫合した際の実寸、輪郭線Ｇ２０と輪郭線Ｇ２１との間の距離情報、輪郭線Ｇ１０と輪郭線Ｇ２０との間の距離情報などを表示領域Ｅ１に表示することができる。これにより、修正前後の仮想トワルやボディ２００との位置関係について表示部１２ａ上で比較することが可能となる。
【００７１】
なお、比較部１３３は、過去の型紙データを参照して比較するものであってもよい。比較対象は、二つ以上の仮想トワルの比較であってもよいし、複数の仮想トワルのみ（ボディなし）の比較であってもよいし、修正後の仮想トワルとボディとを組み合わせた比較であってもよい。
【００７２】
その後、型紙情報生成部１３５が、これまで表示、修正した仮想トワルの情報を反映した型紙の情報を生成するか否かを判断する（ステップＳ１１１）。型紙情報生成部１３５は、生成指示がない場合（ステップＳ１１１：Ｎｏ）、ステップＳ１１３に移行する。一方で、型紙情報生成部１３５は、生成指示がある場合（ステップＳ１１１：Ｙｅｓ）、ステップＳ１１２に移行する。
【００７３】
ステップＳ１１２において、型紙情報生成部１３５は、型紙修正処理部１３４において修正された部分を各型紙に反映した型紙情報（修正型紙情報）を生成する（ステップＳ１１２）。型紙情報生成部１３５は、例えば、つまみ処理部１３４ａによりつまみ処理が行われた箇所について、型紙の対応する位置（座標）にダーツ形成線を形成したり、断面生成部１３４ｂにより生成された座標情報に基づいて断面線を型紙上に形成したり、分割移動処理部１３４ｃにより分割移動されたパーツを対応する型紙間で移動させて、パーツを移動した型紙を生成したりする。上述した型紙情報生成処理により、仮想トワル上で修正した箇所を自動的に二次元の型紙に反映することができる。
【００７４】
図３０は、本実施の形態にかかる型紙作成処理における型紙情報生成処理の一例を説明する図であって、修正前（ａ）の型紙と修正後（ｂ）の型紙とを模式的に示す図である。型紙情報生成部１３５は、例えば、つまみ処理部１３４ａによりつまみ処理が行われ、仮想トワル上でダーツを形成した場合、型紙の対応する位置（座標）にダーツ形成線が生成される。具体的には、修正前の型紙４００（図３０（ａ））に対し、修正後の型紙５００（図３０（ｂ））には、つまみ位置情報に応じて形成されるダーツ形成線Ｌ１１，Ｌ１２が生成される。正式な型紙としてダーツ線Ｌ１１，Ｌ１２を反映するには、該ダーツ形成線Ｌ１１，Ｌ１２を型紙５００の輪郭線とする処理を施す。なお、この際、縫合処理を行うための余白（縫い代）を設けてもよい。
【００７５】
図３１は、本実施の形態にかかる型紙作成処理における型紙情報生成処理を説明する図であって、生成された情報に応じた型紙パターンを模式的に示す図である。上述した修正指示の入力処理が行われたとすると、修正前の型紙１０１，１０２，１０３（図３参照）には、図３１に示す型紙６０１，６０２，６０３のようにそれぞれの処理に応じたガイド線が生成される。具体的には、型紙６０１には、型紙１０１に対して入力されたダーツ形成線Ｌ１１，Ｌ１２や、点Ｑ１１〜Ｑ１５が生成される。また、型紙６０２には、分割移動処理により型紙１０２に入力された分割線Ｌ１４（分割により輪郭線をなす線）が生成される。また、型紙６０３には、分割移動処理に応じて型紙１０３に入力された分割線Ｌ１５（分割により輪郭線をなす線）や、視点断面表示処理により型紙１０３に入力された断面線Ｌ１６が生成される。
【００７６】
出力部１２は、型紙情報生成部１３５により修正型紙情報が生成されると、該修正型紙情報に基づいて型紙パターンを表示部１２ａに表示させる。この際、修正後の仮想トワル（修正型紙情報に応じた仮想トワル（三次元像））と、修正型紙情報に応じた型紙パターンとを並べて表示すると、出来上がりのトワルをイメージできる点で好ましい。また、表示部１２ａは、型紙の力学的特性をもとに仮想トワルを表示するものであってもよいし、衣服に用いる材料の力学的特性をもとに仮想トワルを表示するものであってもよい。
【００７７】
その後、制御部１５は、型紙作成処理を終了するか否かを判断する（ステップＳ１１３）。制御部１５は、外部からの指示信号の入力などにより型紙作成処理を終了すると判断した場合（ステップＳ１１３：Ｙｅｓ）、型紙作成処理を終了する。一方、制御部１５は、型紙作成処理を継続すると判断した場合（ステップＳ１１３：Ｎｏ）、ステップＳ１０７に戻り、仮想トワルの修正処理を行う。
【００７８】
上述した実施の形態によれば、型紙情報およびボディ情報をもとに、ボディに仮想トワルを着付けた状態で、該仮想トワルの修正処理を施すとともに、該修正処理の内容を型紙パターンに反映した型紙の情報を生成するようにしたので、簡易に型紙のパターンを作成することができる。
【００７９】
また、上述した実施の形態によれば、仮想トワルに入力されたつまみ情報（つまみ位置などを含む）に基づいて、型紙にダーツを形成するようにしたので、視覚的に入力された三次元の情報が二次元の情報である型紙に反映されるため、使用者が視覚的に仮想トワルを修正するのみで、該修正に応じた型紙の情報を得ることができる。このため、使用者は、熟練の感覚を有さずとも、型紙の修正を行うことが可能となる。また、本実施の形態では、従来のように、実際に型紙を修正し、該修正した型紙の情報を入力して三次元画像を生成して確認するという作業を繰り返すことなく型紙の情報を修正するため、型紙の作成作業を一段と簡易なものとすることができる。
【００８０】
また、上述した実施の形態によれば、仮想トワルに入力された指示線から生成される曲線（断面線）に基づいて、型紙に指示線を反映するようにしたので、視覚的に入力された三次元の情報を二次元の情報である型紙に容易に、かつ高精度に反映することができる。例えば、ある方向からみて直線状に延びる線でも、異なる角度からみると傾斜していたり曲線をなしていたりする。このような場合であっても、使用者が視覚的に仮想トワル上に直線を引くのみで、該直線から生成される曲線を型紙上に反映することができるため、熟練の感覚や技術を有さずとも、型紙の修正や新たなデザイン線の生成を行うことが可能となる。
【００８１】
また、上述した実施の形態によれば、分割移動処理部１３４ｃにより分割移動されたパーツを対応する型紙間で移動させて、パーツを移動した型紙を生成するようにしたので、仮想トワル上で視覚的に移動させたパーツを型紙間で自動的に移動させることができる。この処理により、三次元の仮想トワルにおいて入力された分割線に基づき、連結する二つの型紙に対してパーツを分割、移動した型紙の情報を自動的に取得することができる。
【００８２】
また、上述した実施の形態によれば、例えば修正前後の仮想トワルを比較することができるため、修正した仮想トワルの確認作業を一段と容易にすることができる。
【００８３】
なお、上述した実施の形態では、型紙作成装置１に設けられた記憶部１４が型紙パターンの情報などを記憶しているものとして説明したが、型紙作成装置１とは別に設けられた記憶媒体を介して情報を取得するものであってもよいし、ネットワークを介して情報を取得するものであってもよい。
【００８４】
また、上述した実施の形態では、三次元形状をなす製品として衣服を作成するために用いられる型紙を例に説明したが、衣服などの衣料服飾品のほか、布団や枕、型紙を用いて形成されるカバー類、車両用のシートなどにおいても適用することができる。
【００８５】
以上のように、本発明にかかる型紙作成方法、型紙作成プログラムおよび型紙作成装置は、簡易に型紙のパターンを生成するのに有用である。
【符号の説明】
【００８６】
１  型紙作成装置
１１  入力部
１２  出力部
１２ａ  表示部
１３  画像処理部
１４  記憶部
１４ａ  型紙情報記憶部
１５  制御部
１３１  取得部
１３２  三次元形状演算部
１３３  比較部
１３４  型紙修正処理部
１３４ａ  つまみ処理部
１３４ｂ  断面生成部
１３４ｃ  分割移動処理部
１３５  型紙情報生成部
【図１】
2015209598.tif 000003
【図２】
2015209598.tif 000004
【図３】
2015209598.tif 000005
【図４】
2015209598.tif 000006
【図５】
2015209598.tif 000007
【図６】
2015209598.tif 000008
【図７】
2015209598.tif 000009
【図８】
2015209598.tif 000010
【図９】
2015209598.tif 000011
【図１０】
2015209598.tif 000012
【図１１】
2015209598.tif 000013
【図１２】
2015209598.tif 000014
【図１３】
2015209598.tif 000015
【図１４】
2015209598.tif 000016
【図１５】
2015209598.tif 000017
【図１６】
2015209598.tif 000018
【図１７】
2015209598.tif 000019
【図１８】
2015209598.tif 000020
【図１９】
2015209598.tif 000021
【図２０】
2015209598.tif 000022
【図２１】
2015209598.tif 000023
【図２２】
2015209598.tif 000024
【図２３】
2015209598.tif 000025
【図２４】
2015209598.tif 000026
【図２５】
2015209598.tif 000027
【図２６】
2015209598.tif 000028
【図２７】
2015209598.tif 000029
【図２８】
2015209598.tif 000030
【図２９】
2015209598.tif 000031
【図３０】
2015209598.tif 000032
【図３１】
2015209598.tif 000033